(57)【要約】      （修正有）【課題】  パネル部材の移動の精度の低下を抑えることができる空気調和機の室内機を提供する。【解決手段】  室内機の前面グリル２６には空気が通る第１吸込み口が設けられており、前面グリル２６は本体フレームに取り付けられる。正面パネルは、第１吸込み口を開閉するように移動可能に設けられる。パネル駆動モーターは、本体フレーム側に設けられ、正面パネルを移動させるための駆動力を発生させる。第１ギア９１は、本体フレーム側に設けられ、駆動力を伝達する。第２ギア７８は、前面グリル２６側に設けられ、前面グリル２６が本体フレームに取り付けられた状態において第１ギア９１と所定位置で噛み合い駆動力を伝達する。第１突起９４および第２突起８２は、前面グリル２６の本体フレームへの取付時に第１ギア９１と第２ギア７８とが所定位置で噛み合うように前面グリル２６を案内する。【選択図】      図９
2006194502.tif 000002
【特許請求の範囲】
【請求項１】
第１ケーシング（２５）と、
空気が通る開口（２１）が設けられ前記第１ケーシング（２５）に取り付けられる第２ケーシング（２６）と、
前記開口（２１）を開閉するように移動可能に設けられるパネル部材（６）と、
前記第１ケーシング（２５）側に設けられ前記パネル部材（６）を移動させるための駆動力を発生させる動力源（７３）と、
前記第１ケーシング（２５）側に設けられ前記駆動力を伝達する第１ギア（９１）と、
前記第２ケーシング（２６）側に設けられ前記第２ケーシング（２６）が前記第１ケーシング（２５）に取り付けられた状態において前記第１ギア（９１）と所定位置で噛み合い前記駆動力を伝達する第２ギア（７８）と、
前記第２ケーシング（２６）の前記第１ケーシング（２５）への取付時に前記第１ギア（９１）と前記第２ギア（７８）とが前記所定位置で噛み合うように前記第２ケーシング（２６）を案内するガイド部（８２，９４）と、
を備える空気調和機の室内機（１）。
【請求項２】
前記ガイド部（８２，９４）は、前記第２ケーシング（２６）の前記第１ケーシング（２５）への取付時に前記第１ギア（９１）と前記第２ギア（７８）とが前記所定位置に到達するまで前記第１ギア（９１）と前記第２ギア（７８）とが接触しないように前記第２ケーシング（２６）を案内する、
請求項１に記載の空気調和機の室内機（１）。
【請求項３】
前記ガイド部（８２，９４）は、前記第１ケーシング（２５）側に設けられる第１当接部（９４）と、前記第２ケーシング（２６）側に設けられる第２当接部（８２）とを有し、前記第１当接部（９４）と前記第２当接部（８２）との当接によって前記第２ケーシング（２６）を案内する、
請求項１または２に記載の空気調和機の室内機（１）。
【請求項４】
前記第１ギア（９１）を収容する第１ギアカバー（９２）と、
前記第２ギア（７８）を収容する第２ギアカバー（７２）と、
をさらに備え、
前記第１当接部（９４）は、前記第１ギアカバー（９２）に設けられ、
前記第２当接部（８２）は、前記第２ギアカバー（７２）に設けられる、
請求項３に記載の空気調和機の室内機（１）。
【請求項５】
前記第１当接部（９４）は、前記第１ギアカバー（９２）の表面から突出する突起である、
請求項４に記載の空気調和機の室内機（１）。
【請求項６】
前記第２当接部（８２）は、前記第２ギアカバー（７２）の表面から突出する突起である、
請求項４または５に記載の空気調和機の室内機（１）。
【請求項７】
前記第１ギアカバー（９２）は、前記第１ギア（９１）の歯の一部が外部に露出するように設けられた切り欠きを有し、
第２ギア（７８）は、前記切り欠きから露出する第１ギア（９１）の歯の一部と前記所定位置において噛み合う、
請求項４から６のいずれかに記載の空気調和機の室内機（１）。
【請求項８】
前記第２ギアカバー（７２）は、前記第２ギア（７８）の歯の一部が外部に露出するように設けられた切り欠き（８３）を有し、
第１ギア（９１）は、前記切り欠き（８３）から露出する第２ギア（７８）の歯の一部と前記所定位置において噛み合う、
請求項４から７のいずれかに記載の空気調和機の室内機（１）。
【請求項９】
前記第１ギア（９１）は、第１歯（９６）を有し、
前記第２ギア（７８）は、第２歯（９７）と、前記第２歯（９７）に隣接する第３歯（９８）とを有し、
前記ガイド部（８２，９４）は、前記第２ケーシング（２６）の前記第１ケーシング（２５）への取付時に前記第１歯（９６）が前記第２歯（９７）と前記第３歯（９８）との間に挿入されるまで前記第１ギア（９１）の他の歯に接触しないように前記第２ケーシング（２６）を案内する、
請求項１から８のいずれかに記載の空気調和機の室内機（１）。
【請求項１０】
前記動力源（７３）を制御して前記パネル部材（６）の移動を制御する制御部（８）をさらに備える、
請求項１から９のいずれかに記載の空気調和機の室内機（１）。
【発明の詳細な説明】
【技術分野】
【０００１】
本発明は空気調和機の室内機に関する。
【背景技術】
【０００２】
空気調和機の室内機には、ケーシングとパネル部材と駆動部と開閉機構とを備えるものがある。ケーシングは、第１ケーシングと第２ケーシングとを有している。第１ケーシングには、例えば、熱交換器や送風ファンなどが収容される。第２ケーシングは、第１ケーシングに取り付けられ、空気が通る開口が設けられる。パネル部材は、第２ケーシングの開口を開閉するように移動可能に設けられる。駆動部は、モーターなどの駆動源を有しており、パネル部材を移動させるための駆動力を発生させる。開閉機構は、駆動部の駆動力によってパネル部材を移動させる機構であり、例えば、駆動力を伝達するギアなどによって構成される。従来の空気調和機の室内機においては、駆動部が第１ケーシングに設けられる場合、駆動部に合わせて開閉機構も第１ケーシングに設けられることが多い（特許文献１参照）。
【特許文献１】実開平７−１２８２１号公報（第１図および第４図）
【発明の開示】
【発明が解決しようとする課題】
【０００３】
しかし、上記のように、開閉機構が第１ケーシングに設けられる場合には、パネル部材と第２ケーシングとの取付け精度が低下する恐れがある。すなわち、開閉機構が第１ケーシングに設けられると、開閉機構によって開閉されるパネル部材は、第１ケーシングを基準に位置決めされることになる。このため、第２ケーシングの開口を開閉するパネル部材と、第２ケーシングとの取付け精度が低下する恐れがある。
【０００４】
このような課題を解決するため、本願発明者は、第１ケーシング側に駆動部を設けると共に第２ケーシング側に開閉機構を設ける空気調和機の室内機を案出している（特願２００３−３４０５１３号明細書参照）。この空気調和機の室内機では、開閉機構が第１ケーシングではなく第２ケーシングに設けられているため、開閉機構によって移動させられるパネル部材は、第１ケーシングではなく第２ケーシングを基準に位置決めされる。これにより、第２ケーシングとパネル部材との取付け精度を向上させることができる。
【０００５】
一方、このような空気調和機の室内機においては、駆動部側のギアと開閉機構側のギアとが噛み合うことによって駆動力がパネル部材に伝達される。従って、駆動源とパネル部材とが第１ケーシングと第２ケーシングとに分かれて設けられると、第２ケーシングと第１ケーシングとが分解された状態では、第１ケーシング側の第１ギアと第２ケーシング側の第２ギアとが分離された状態となる。また、第２ケーシングと第１ケーシングとを組み立てる際には、分離されている第１ギアと第２ギアとを噛み合わせる必要がある。
【０００６】
しかし、このような第１ケーシングと第２ケーシングとの分解作業、又は、組立作業時において、噛み合いを解かれた第１ギア又は第２ギアが他の部品やケーシングの一部に接触した場合、或いは、第１ギアと第２ギアとが適正な噛み合い位置以外で接触した場合には、ギアが誤って回転してギアの歯の位置がずれる恐れがある。ギアの歯の位置がずれた状態、或いは、第１ギアと第２ギアとが不適正な位置で噛み合った状態で第１ケーシングと第２ケーシングとが組み立てられると、第１ギアと第２ギアとの噛み合いが第１ケーシングと第２ケーシングとの分解前とは異なるものとなり、パネル部材の移動の精度が低下する。
【０００７】
本発明の課題は、パネル部材の移動の精度の低下を抑えることができる空気調和機の室内機を提供することにある。
【課題を解決するための手段】
【０００８】
第１発明に係る空気調和機の室内機は、第１ケーシングと、第２ケーシングと、パネル部材と、動力源と、第１ギアと、第２ギアと、ガイド部とを備える。第２ケーシングには空気が通る開口が設けられており、第２ケーシングは第１ケーシングに取り付けられる。パネル部材は、開口を開閉するように移動可能に設けられる。動力源は、第１ケーシング側に設けられ、パネル部材を移動させるための駆動力を発生させる。第１ギアは、第１ケーシング側に設けられ、駆動力を伝達する。第２ギアは、第２ケーシング側に設けられ、第２ケーシングが第１ケーシングに取り付けられた状態において第１ギアと所定位置で噛み合い駆動力を伝達する。ガイド部は、第２ケーシングの第１ケーシングへの取付時に第１ギアと第２ギアとが所定位置で噛み合うように第２ケーシングを案内する。
【０００９】
この空気調和機の室内機では、第１ケーシング側の第１ギアと第２ケーシング側の第２ギアとが所定の位置で噛み合うように第２ケーシングがガイド部によって案内される。このため、第２ケーシングの第１ケーシングへの取付時に、第２ケーシング側の第２ギアが第１ギアと適正に噛み合う所定位置まで案内され、第１ギアと第２ギアとが噛み合わせられる。これにより、この空気調和機の室内機では、第１ギアと第２ギアとを適正に噛み合わせることができ、パネル部材の移動の精度の低下を抑えることができる。
【００１０】
第２発明に係る空気調和機の室内機は、第１発明の空気調和機の室内機であって、ガイド部は、第２ケーシングの第１ケーシングへの取付時に第１ギアと第２ギアとが所定位置に到達するまで第１ギアと第２ギアとが接触しないように第２ケーシングを案内する。
この空気調和機の室内機では、第１ギアと第２ギアとが接触しないように第２ケーシングがガイド部によって案内される。このため、第２ケーシングの第１ケーシングへの取付時に、第１ギアに近接した第２ギアが第１ギアと適正に噛み合う所定位置に到達するまで第１ギアと接触することが抑えられ、第１ギア又は第２ギアのズレの発生を抑えることができる。
【００１１】
第３発明に係る空気調和機の室内機は、第１発明または第２発明の空気調和機の室内機であって、ガイド部は、第１ケーシング側に設けられる第１当接部と、第２ケーシング側に設けられる第２当接部とを有する。そして、ガイド部は、第１当接部と第２当接部との当接によって第２ケーシングを案内する。
この空気調和機の室内機では、第２ケーシングの第１ケーシングへの取付時に、第２当接部が第１当接部に当接することによって第２ケーシングが案内される。すなわち、第１当接部と第２当接部とが当接することにより、所定方向への第２ケーシングの移動が規制され、第２ケーシングを案内することができる。
【００１２】
第４発明に係る空気調和機の室内機は、第３発明の空気調和機の室内機であって、第１ギアを収容する第１ギアカバーと、第２ギアを収容する第２ギアカバーとをさらに備える。そして、第１当接部は第１ギアカバーに設けられ、第２当接部は第２ギアカバーに設けられる。
この空気調和機の室内機では、第１ギアカバーと第２ギアカバーとによって第１ギアと第２ギアとが防護されており、第１ギアと第２ギアとへの不要な接触が抑えられる。また、第１当接部と第２当接部とがそれぞれ第１ギアと第２ギアとに近い位置に設けられるため、第２ケーシングの第１ケーシングへの取付時に、第２ギアが第１ギアと適正な所定位置で噛み合うようにより精度よく案内することができる。
【００１３】
第５発明に係る空気調和機の室内機は、第４発明の空気調和機の室内機であって、第１当接部は、第１ギアカバーの表面から突出する突起である。
この空気調和機の室内機では、第２ギアが第１ギアに近接すると、第１ギアカバーの表面から突出する突起が第２当接部に当接する。これにより第２ギアの第１ギアへの近接が規制される。このため、この空気調和機の室内機では、第２ギアと第１ギアとの不適正な接触が抑えられる。
【００１４】
第６発明に係る空気調和機の室内機は、第４発明または第５発明の空気調和機の室内機であって、第２当接部は、第２ギアカバーの表面から突出する突起である。
この空気調和機の室内機では、第２ギアが第１ギアに近接すると、第２ギアカバーの表面から突出する突起が第１当接部に当接する。これにより第２ギアの第１ギアへの近接が規制される。このため、この空気調和機の室内機では、第２ギアと第１ギアとの不適正な接触が抑えられる。
【００１５】
第７発明に係る空気調和機の室内機は、第４発明から第６発明のいずれかの空気調和機の室内機であって、第１ギアカバーは、第１ギアの歯の一部が外部に露出するように設けられた切り欠きを有する。そして、第２ギアは、切り欠きから露出する第１ギアの歯の一部と所定位置において噛み合う。
この空気調和機の室内機では、切り欠きから露出する第１ギアの歯の一部と第２ギアとが噛み合う。第１ギアと第２ギアとが噛み合う所定位置近傍の部分は、第２ギアが近接するため不適切な接触が生じ易い部分であるが、第１ギアが第１ギアカバーによって防護されているため、この部分における不適切な接触の発生を抑えることができる。
【００１６】
第８発明に係る空気調和機の室内機は、第４発明から第７発明のいずれかの空気調和機の室内機であって、第２ギアカバーは、第２ギアの歯の一部が外部に露出するように設けられた切り欠きを有する。そして、第１ギアは、切り欠きから露出する第２ギアの歯の一部と所定位置において噛み合う。
この空気調和機の室内機では、切り欠きから露出する第２ギアの歯の一部と第１ギアとが噛み合う。第１ギアと第２ギアとが噛み合う所定位置近傍の部分は、第１ギアが近接するため不適切な接触が生じ易い部分であるが、第２ギアが第２ギアカバーによって防護されているため、この部分における不適切な接触の発生を抑えることができる。
【００１７】
第９発明に係る空気調和機の室内機は、第１発明から第８発明のいずれかの空気調和機の室内機であって、第１ギアは、第１歯を有する。また、第２ギアは、第２歯と、第２歯に隣接する第３歯とを有する。そして、ガイド部は、第２ケーシングの第１ケーシングへの取付時に第１歯が第２歯と第３歯との間に挿入されるまで第１ギアの他の歯に接触しないように第２ケーシングを案内する。
【００１８】
この空気調和機の室内機では、第１ギアの第１歯が第２ギアの第２歯と第３歯との間に挿入されるまで第１ギアの他の歯に接触しないように第２ギアが案内される。このため、不適切なギアの接触を抑えて精度よく第１歯を第２歯と第３歯との間まで案内することができる。
第１０発明に係る空気調和機の室内機は、第１発明から第９発明のいずれかの空気調和機の室内機であって、動力源を制御してパネル部材の移動を制御する制御部をさらに備える。
【００１９】
この空気調和機の室内機では、第２ケーシングの第１ケーシングへの取付時に第１ギアと第２ギアとを適切な所定位置が噛み合わせることができるため、第２ケーシングの第１ケーシングへの取付時にパネル部材にズレが生じることを抑えることができる。このため、パネル部材の移動を制御部によって精度よく制御することができる。
【発明の効果】
【００２０】
第１発明に係る空気調和機の室内機では、第２ケーシングの第１ケーシングへの取付時に、第１ギアと第２ギアとを適正に噛み合わせることができ、パネル部材の移動の精度の低下を抑えることができる。
第２発明に係る空気調和機の室内機では、第２ケーシングの第１ケーシングへの取付時に、第１ギアに近接した第２ギアが第１ギアと適正に噛み合う所定位置に到達するまで第１ギアと接触することが抑えられ、第１ギア又は第２ギアのズレの発生を抑えることができる。
【００２１】
第３発明に係る空気調和機の室内機では、第１当接部と第２当接部とが当接することにより、所定方向への第２ケーシングの移動が規制され、第２ケーシングを案内することができる。
第４発明に係る空気調和機の室内機では、第１ギアカバーと第２ギアカバーとによって第１ギアと第２ギアとが防護されており、第１ギアと第２ギアとへの不要な接触が抑えられる。また、第１当接部と第２当接部とがそれぞれ第１ギアと第２ギアとに近い位置に設けられるため、第２ケーシングの第１ケーシングへの取付時に、第２ギアが第１ギアと適正な所定位置で噛み合うようにより精度よく案内することができる。
【００２２】
第５発明に係る空気調和機の室内機では、第２ギアが第１ギアに近接すると、第１ギアカバーの表面から突出する突起が第２当接部に当接する。このため、この空気調和機の室内機では、第２ギアと第１ギアとの不適正な接触が抑えられる。
第６発明に係る空気調和機の室内機では、第２ギアが第１ギアに近接すると、第２ギアカバーの表面から突出する突起が第１当接部に当接する。このため、この空気調和機の室内機では、第２ギアと第１ギアとの不適正な接触が抑えられる。
【００２３】
第７発明に係る空気調和機の室内機では、第１ギアが第１ギアカバーによって防護されているため、第１ギアと第２ギアとが噛み合う所定位置近傍の部分における不適切な接触の発生を抑えることができる。
第８発明に係る空気調和機の室内機では、第１ギアと第２ギアとが噛み合う所定位置近傍の部分における不適切な接触の発生を抑えることができる。
【００２４】
第９発明に係る空気調和機の室内機では、不適切なギアの接触を抑えて精度よく第１歯を第２歯と第３歯との間まで案内することができる。
第１０発明に係る空気調和機の室内機では、パネル部材の移動を制御部によって精度よく制御することができる。
【発明を実施するための最良の形態】
【００２５】
＜構成＞
本発明の一実施形態にかかる空気調和機の室内機１を図１および図２に示す。図１は空気調和機の室内機１の正面図であり、図２は空気調和機の室内機１の側面図である。この空気調和機の室内機１は、室内の壁面に取り付けられる壁掛け型室内機であり、室内の冷暖房等の空気調和を行う。この空気調和機の室内機１は、室内機ケーシング２と、送風ファン３（図３参照）、室内熱交換器１０（図３参照）、ファンモータ４（図８参照）、水平フラップ５、正面パネル６、開閉機構７（図４参照）、駆動部９、制御部８（図８参照）、リモコン１１（図８参照）とを備えている。
【００２６】
［室内機ケーシング］
室内機ケーシング２は、図１に示すように、正面視において水平方向に長い長方形形状を有しており、図３に示すように、本体フレーム２５（第１ケーシング）と前面グリル２６（第２ケーシング）とを有する。なお、図３は、図１における室内機１のIII−III断面図である。
【００２７】
本体フレーム２５は、室内熱交換器１０、送風ファン３、ファンモータ４、制御部８を構成する制御部品などを支持する。また、本体フレーム２５には、後述する駆動部９を係止するための図示しない係止部が設けられており、駆動部９が係止部に係止されることによって、駆動部９が若干移動可能なように本体フレーム２５に仮固定される。なお、駆動部９は、少なくとも本体フレーム２５と第２ケーシングとが分解された状態において本体フレーム２５側に設けられていればよい。
【００２８】
前面グリル２６は、本体フレーム２５の正面から本体フレーム２５に取り付けられ、本体フレーム２５の上方、下方、前方、両側方を覆う。前面グリル２６には、吹出し口２０、第１吸込み口２１および第２吸込み口２２が設けられており、前面グリル２６の前面には、正面パネル６が取り付けられている。正面パネル６については、後に詳細に説明する。
【００２９】
吹出し口２０は、室内へと吹き出される空気が通る開口であり、第１ケーシング面２３に設けられている。第１ケーシング面２３は、図２に示すように、室内機ケーシング２の底面の前側部分を構成しており、吹出し口２０は、室内機ケーシング２の下部に設けられている。第１ケーシング面２３は、前端が上方に位置するように傾斜している。吹出し口２０は、室内機ケーシング２の幅Ｗ方向（室内機ケーシング２の長手方向、図１参照）に細長い形状を有しており、水平フラップ５が設けられる。
【００３０】
図３に示す第１吸込み口２１は、室内機ケーシング２内へと取り込まれる空気が通る開口であり、第２ケーシング面２４に設けられている。第２ケーシング面２４は、図２に示すように、室内機ケーシング２の正面すなわち前面を構成しており、第１吸込み口２１は、室内機ケーシング２の正面に設けられる。第２ケーシング面２４は、上下方向に伸びる略平坦な形状となっているが、上端が前方に位置するように僅かに傾斜している。第２ケーシング面２４の下端は、第１ケーシング面２３の上端と連続しており、第２ケーシング面２４は、第１ケーシング面２３に対して所定角度をなしている。すなわち、第１ケーシング面２３と第２ケーシング面２４とは、屈曲した形状となっており、９０度以上１８０度未満の比較的緩やかな角度をなしている。
【００３１】
第２吸込み口２２は、室内機ケーシング２内へと取り込まれる空気が通る開口であり、室内機ケーシング２の天面に設けられている。第２吸込み口２２は、室内機ケーシング２の幅Ｗ方向に伸びる複数のスリットによって構成されている。
［送風ファンおよびファンモータ］
図３に示す送風ファン３は、長細い円筒形状に構成され、中心軸が水平方向に平行になるように配置されたクロスフローファンである。送風ファン３の周面には羽根が設けられており、送風ファン３が中心軸周りに回転することにより、空気流を生成する。この空気流は、第１吸込み口２１および第２吸込み口２２から取り入れられ室内熱交換器１０を通り吹出し口２０から室内へと吹き出す空気の流れである。送風ファン３は、側面視において室内機１の概ね中央に位置している。
【００３２】
ファンモータ４（図８参照）は、送風ファン３を中心軸周りに回転駆動する。ファンモータ４は、室内機１の正面視において送風ファン３の右側方に送風ファン３と同軸に配置されている。送風ファン３は、後述する制御部８によって回転数を制御され、送風ファン３による送風量が制御部８によって制御される。
［水平フラップ］
水平フラップ５は、吹出し口２０を開閉自在に設けられ、吹出し口２０から吹き出される空気を案内する。水平フラップ５は、室内機ケーシング２の幅Ｗ方向に細長い略長方形形状を有し、室内機ケーシング２の幅Ｗ方向に平行な軸を中心に回動自在に吹出し口２０に設けられる。水平フラップ５は、フラップモータ５０（図８参照）によって回転駆動される。水平フラップ５は、吹出し口２０よりも僅かに小さい形状を有するが、吹出し口２０を閉じる水平フラップ５の上端と室内機ケーシング２との間には、隙間が設けられている。この隙間が設けられることによって、水平フラップ５は、吹出し口２０において制限少なく回動可能となっている。
【００３３】
［正面パネル］
正面パネル６（パネル部材）は、室内機ケーシング２の前面に設けられ、室内機ケーシング２から離反するように移動して第１吸込み口２１を開き、室内機ケーシング２に近接するように移動して第１吸込み口２１を閉じることにより第１吸込み口２１を開閉する。また、正面パネル６は、閉状態において、室内機ケーシング２の少なくとも一部と、吹出し口２０を閉じる水平フラップ５の少なくとも一端とを覆い、第１吸込み口２１と吹出し口２０とを閉じる。具体的には、正面パネル６は、図２および図３に示すように、水平フラップ５の長辺をなす上端近傍、第１ケーシング面２３および第２ケーシング面２４の途中までの部分に外側から重なる。従って、正面パネル６は、閉状態において、上述した水平フラップ５の上端と吹出し口２０との間の隙間を覆う。正面パネル６は、室内機ケーシング２の第１ケーシング面２３および第２ケーシング面２４の屈曲に沿うように屈曲した形状を有している。正面パネル６は、室内機ケーシング２の幅Ｗ方向に吹出し口２０よりも長い形状を有しており、室内機ケーシング２の幅Ｗと略同じ幅Ｗを有する。また、正面パネル６は、図１に示すように、正面視において上下方向に伸びる継ぎ目を有さない。正面パネル６は、第１パネル部６１と第２パネル部６２とを有する。
【００３４】
第１パネル部６１は、比較的平坦な外表面を有し、正面パネル６の閉状態において水平フラップ５の上端を覆う部分である。第１パネル部６１は、正面パネル６の下部を構成している。
第２パネル部６２は、比較的平坦な外表面を有し、正面パネル６の閉状態において第１吸込み口２１を覆う部分である。第２パネル部６２は、正面パネル６の上部を構成している。
【００３５】
第１パネル部６１の上端と第２パネル部６２の下端とは連続しており、第１パネル部６１と第２パネル部６２とは、正面パネル６の閉状態において、第１ケーシング面２３および第２ケーシング面２４に沿うように所定角度で一体化されている。
なお、正面パネル６は、両側端をそれぞれ開閉機構７のパネル支持部材７１によって支持されている（図４参照）。パネル支持部材７１は、室内機ケーシング２の両側端にそれぞれ設けられており、前後に移動可能に設けられている。これらのパネル支持部材７１が移動することによって正面パネル６が前後に移動する。
【００３６】
［開閉機構］
図４に示す開閉機構７は、第１吸込み口２１が所望の開度で開かれるように正面パネル６を移動させる。開閉機構７は、正面パネル６が第１吸込み口２１を閉じた閉状態（図１０（ａ）の状態）と、正面パネル６が閉状態から前方へと移動して第１吸込み口２１を開いた第１開状態（図１０（ｂ）の状態）と、正面パネル６が第１状態からさらに前方へと移動して第１吸込み口２１をさらに大きく開いた第２開状態（図１０（ｃ）の状態）とに正面パネル６を移動させる。正面パネル６が閉状態から第１開状態へと移行する場合には、正面パネル６は平行移動し、正面パネル６が第１開状態から第２開状態へと移行する場合には、正面パネル６は回転移動する。正面パネル６が第１開状態であるとき、第１吸込み口２１は第１開度で開かれる。また、正面パネル６が第２開状態であるとき、第１吸込み口２１は第１開度よりも大きい最大開度である第２開度で開かれる。開閉機構７は、図５に示すように、前面グリル２６の右側面の内側および左側面の内側にそれぞれ設けられており、螺子で固定されている。なお、図４は２つの開閉機構７のうち一方のみを図示しており、理解の容易のために一部を省略して記載している。また、図５は、前面グリル２６の右側面（正面視における右側の側面）の内面を示しており、図１におけるV−V断面図である。開閉機構７は、図４に示すように、パネル支持部材７１と、開閉機構ケーシング７２と、第２ギア７８と、第３ギア７９とを有する。
【００３７】
パネル支持部材７１は、正面パネル６の側端に正面パネル６に略垂直に固定されて正面パネル６を支持する板状の部材である。パネル支持部材７１の上端は、前側が上方に位置し後側が下方に位置するように傾斜しており、後述する第３ギア７９と螺合するラックギア７４がパネル支持部材７１の上端近傍に設けられている。また、パネル支持部材７１の中央部分には、第１スリット部７５、第２スリット部７６、第３スリット部７７が設けられている。第１スリット部７５、第２スリット部７６、第３スリット部７７は、それぞれパネル支持部材７１の両面に貫通するスリットであり、パネル支持部材７１と同様に前側が上方に位置し後側が下方に位置するように傾斜した形状となっている。第１スリット部７５は、後下方から前上方へ直線状に延びる直線部分７５１と、直線部分７５１の後端に連続し下方に僅かに凹んで湾曲した湾曲部７５２を有している。第２スリット部７６および第３スリット部７７も第１スリット部７５と同様の形状である。第２スリット部７６は第１スリット部７５の下方に位置し、第３スリット部７７は第２スリット部７６の下方に位置している。また、第１スリット部７５、第２スリット部７６、第３スリット部７７はそれぞれ平行に配置されている。
【００３８】
開閉機構ケーシング７２（第２ギアカバー）は、パネル支持部材７１、第２ギア７８、第３ギア７９を収容している。開閉機構ケーシング７２は、パネル支持部材７１を平行移動および回転移動可能に支持すると共に、第２ギア７８および第３ギア７９を回転可能に支持している。開閉機構ケーシング７２の中央部付近には、第１支持爪７２１と第２支持爪７２２とが設けられている。第１支持爪７２１は、開閉機構ケーシング７２の内表面から突出する円筒形状を有しており、パネル支持部材７１の第１スリット部７５に挿入される。第１支持爪７２１は、第１スリット部７５に係止してパネル支持部材７１を支持する。第２支持爪７２２も、第１支持爪７２１と同様に開閉機構ケーシング７２の表面から突出する円筒形状を有しており、パネル支持部材７１の第３スリット部７７に挿入される。第２支持爪７２２は、第３スリット部７７に係止してパネル支持部材７１を支持する。第１支持爪７２１および第２支持爪７２２は、正面パネル６が開閉動作を行う際に、第１スリット部７５および第２スリット部７６に対して摺動し、前後に移動する正面パネル６を支持する。また、図５および図６に示すように、開閉機構ケーシング７２の外表面には第２突起８２（第２当接部）が設けられている。第２突起８２は、円筒形状を有しており、開閉機構ケーシング７２の外表面から前面グリル２６の長手方向に平行に内側方向に向けて突出している。第２突起８２は、図６に示すように、開閉機構ケーシング７２のうち第２ギア７８と対向する部分の外表面に設けられている。また、開閉機構ケーシング７２は、第２ギア７８の歯の一部が外部に露出するように設けられた切り欠き８３を有する。この切り欠きは、第２ギア７８の下部が露出するように設けられており、第２ギア７８の複数の歯のうち４分の１程度の数の歯が切り欠きから露出している。
【００３９】
第２ギア７８と第３ギア７９とは、互いに螺合するピニオンギアである。第２ギア７８と第３ギア７９とは、前面グリル２６の長手方向に平行な回転軸を中心に回転可能に設けられており、第２ギア７８の下方に第３ギア７９が配置されている。第２ギア７８は、後述する第１ギア９１と螺合してパネル駆動モーター７３の回転を第３ギア７９へと伝達する。また、一方の開閉機構７の第２ギア７８と他方の開閉機構７の第２ギア７８とはシャフト８５によって連結されており、一方の第２ギア７８の回転が他方の第２ギア７８に伝達されるように構成されている。第３ギア７９は、第２ギア７８から伝達された回転を前述したラックギア７４に伝達する。第２ギア７８は、第３ギア７９よりも回転軸に平行な方向の厚みが大きく、第３ギア７９と回転軸方向に並んで設けられた第１ギア９１と、第３ギア７９とに両方に螺合している。
【００４０】
［駆動部］
図５から図７に示す駆動部９は、本体フレーム２５側に設けられ、正面パネル６を移動させるための駆動力を発生させる。なお、図６は、開閉機構７と駆動部９との拡大斜視図であり、図７は、図５の反対側からみた駆動部９を示している。駆動部９は、前面グリル２６の内側から開閉機構７に接するように設けられており、駆動力を開閉機構７へと伝達する。駆動部９は、パネル駆動モーター７３（動力源）、第１ギア９１、駆動部ケーシング９２（第１ギアカバー）を有する。
【００４１】
パネル駆動モーター７３は、制御部８の制御を受けて回転駆動され、正面パネル６を移動させるための駆動力を発生させる。パネル駆動モーター７３は、回転軸に固定された図示しない第４ギアを回転させる。
第１ギア９１は、第４ギアと螺合しており、駆動モーターからの駆動力を伝達するピニオンギアである。第１ギア９１と第４ギアとは、前面グリル２６の長手方向に平行な回転軸を中心に回転可能に設けられており、パネル駆動モーター７３と同軸に配置された第４ギアの上方に第１ギア９１が配置される。
【００４２】
駆動部ケーシング９２は、パネル駆動モーター７３、第１ギア９１、第４ギアを収容する。駆動部ケーシング９２は、第１ギア９１を回転可能に支持すると共に、第１ギア９１の開閉機構７に対向しない側の側面を覆っている。また、図６および図７に示すように、駆動部ケーシング９２には、開閉機構７に対向する側の側面から起立する壁部９３が設けられている。この壁部９３は、第１ギア９１の周方向の下部を覆っている。言い換えれば、壁部９３の第１ギア９１の周方向の上部に対向する部分は切り欠かれており、第１ギア９１の周方向の上部は外部に露出している。また、駆動部ケーシング９２の上面には、上方へ突出する第１突起９４（第１当接部）が設けられている。第１突起９４は、第１ギア９１より上方に位置しており、第１ギア９１の回転軸に平行な平面的な形状となっている。第１突起９４は、先細りの台形の形状であり、その先端は平坦な形状となっている。第１突起９４の前側縁部および後側縁部は、駆動部ケーシング９２の上面から第１突起９４の先端の平坦部までを繋いでおり、駆動部ケーシング９２の上面に対して緩やかに傾斜している。
【００４３】
なお、駆動部ケーシング９２には、本体フレーム２５の係止部に係止する図示しない被係止部が設けられている。このため、本体フレーム２５と前面グリル２６とが分離した状態において、駆動部９が本体フレーム２５に仮固定すなわち駆動部９が本体フレーム２５に完全に固定されるのではなく若干移動可能な状態で固定されることができる。また、駆動部ケーシング９２には、本固定用の螺子孔９５が設けられている（図６参照）。この螺子孔９５は、前面グリル２６が本体フレーム２５に取り付けられた状態で、前面グリル２６に設けられた螺子孔とほぼ合致する位置に設けられており、前面グリル２６の外側から螺子が通されることによって、前面グリル２６と駆動部ケーシング９２とが一体的に固定される。
【００４４】
［制御部］
図８に示す制御部８は、後述するリモコン１１から指示を受けて、上述した開閉機構７のパネル駆動モーター７３、ファンモータ４、フラップモータ５０などを制御する。制御部８が指示を受ける運転モードには、通常の冷房・暖房運転、おやすみ運転、パワフル運転などがある。おやすみ運転は、通常の冷房・暖房運転よりもファンモータ４の駆動音や吸込み空気の風切り音などの運転音を低減させて、室内を静寂に保つ運転モードである。パワフル運転は、通常の冷房・暖房運転よりも冷房・暖房能力を増大させて室内の冷房・暖房を迅速に行う運転モードである。
【００４５】
制御部８は、通常の冷房・暖房運転モードの指令を受けた時は、ファンモータ４を制御して送風ファン３による出力を第１風量とすると共に、パネル駆動モーター７３を制御して正面パネル６を図１０（ｂ）に示す第１開状態に移行させて第１吸込み口２１を第１開度で開く。
また、制御部８は、おやすみ運転の指令を受けた時は、ファンモータ４を制御して、送風ファン３による出力を第１風量よりも小さい第２風量とすると共に、パネル駆動モーター７３を制御して正面パネル６を第２開状態に移行させて第１吸込み口２１を図１０（ｃ）に示す第２開度で開く。
【００４６】
さらに、制御部８は、パワフル運転の指令を受けた時は、ファンモータ４を制御して送風ファン３の出力を第１風量よりも大きい第３風量とすると共に、パネル駆動モーター７３を制御して正面パネル６を図１０（ｃ）に示すように第２開状態として、第１吸込み口２１を第２開度で開く。
なお、制御部８は、運転停止の指令を受けた時は、ファンモータ４を制御して送風ファン３を止め、フラップモータを制御して吹出し口２０を閉じると共に、パネル駆動モーター７３を制御して正面パネル６を閉状態とする。
【００４７】
［リモコン］
リモコン１１は、居住者等が室内機の運転内容を指示するための装置であり、居住者等はリモコン１１上に設けられた複数の操作ボタンを用いて運転内容をリモコン１１に入力することができる。リモコン１１は、室内機１の電源のオン・オフ、通常暖房運転、通常冷房運転、おやすみ運転、パワフル運転などの運転モードの選択、温度設定、タイマー設定などの入力を受けて指令信号を赤外線通信などの通信手段によって制御部８へ送信する。
【００４８】
＜前面グリルの取付作業時の第１突起と第２突起との作用＞
この空気調和機の室内機１では、第１突起９４と第２突起８２とが、前面グリル２６の本体フレーム２５への取付時に第１ギア９１と第２ギア７８とが所定位置で噛み合うように前面グリル２６を案内するガイド部として機能する。以下、前面グリル２６の本体フレーム２５への取付作業時の第１突起９４と第２突起８２との作用および第１ギア９１、第２ギア７８、第１突起９４、第２突起８２の位置関係ついて図９に基づいて詳細に説明する。
【００４９】
前面グリル２６を本体フレーム２５に近接させ、前面グリル２６を前方から本体フレーム２５に被せると、開閉機構７が駆動部９に前方から近接する。開閉機構７が駆動部９に近接すると、まず、開閉機構７の第２突起８２が、図９（ａ）に示すように、駆動部ケーシング９２の前方（図９の右側）から駆動部ケーシング９２の第１突起９４の前側縁部に前方から当接して乗り上げる。この状態において、第１ギア９１と第２ギア７８とが接触しないように第１ギア９１と第２ギア７８との間の距離が確保されている。
【００５０】
前面グリル２６をさらに本体フレーム２５に被せるように移動させると、第２突起８２は、図９（ｂ）に示すように、第１突起９４の先端の平坦部に沿って摺動する。この間、第１突起９４と第２突起８２との当接によって第１ギア９１と第２ギア７８との距離が広げられ、第１ギア９１と第２ギア７８とが接触しないようにさらに第１ギア９１と第２ギア７８との間の距離が確保される。
【００５１】
前面グリル２６をさらに本体フレーム２５に被せるように移動させると、第２突起８２が後方へと移動して、第１突起９４の後側縁部に到達する。これにより、第２突起８２の下方への移動の規制が解除され、第２突起８２が僅かに下方に移動することが可能となる。第２突起８２が第１突起９４の後側縁部の傾斜に沿って斜め下方へと移動すると、第１ギア９１と第２ギア７８とが近接する。前面グリル２６がさらに移動して前面グリル２６が本体フレーム２５に取り付けられた状態となると、第１ギア９１の回転軸の真上に第２ギア７８の回転軸が位置する。この状態においては、駆動部ケーシング９２の切り欠きから上方へ露出する第１ギア９１の一部と、開閉機構７ケーシング７２の切り欠きから下方に露出する第２ギア７８の一部とが噛み合って図９（ｃ）に示す状態となる。詳細には、第１ギア９１の回転軸の真上に位置する第１歯９６が、第２ギア７８の回転軸の真下に位置する第２歯９７と第３歯９８との間に挿入される。なお、第１ギア９１の回転軸の真上に位置する第１ギア９１の２つの歯の間に、第２ギア７８の回転軸の真下に位置する第２ギア７８の歯の１つが挿入されてもよい。
【００５２】
以上のように第１ギア９１と第２ギア７８とが噛み合った状態が、適正に噛み合った状態であり、第１ギア９１と第２ギア７８とが上記適正な噛み合い位置に到達するまで接触しないように、第１突起９４と第２突起８２との当接によって第１ギア９１と第２ギア７８とが案内される。なお、本体フレーム２５を移動させて前面グリル２６に取り付ける場合も上記と同様に第１突起９４と第２突起８２との当接によって第１ギア９１と第２ギア７８とが案内される。
【００５３】
＜特徴＞
（１）
この空気調和機の室内機１では、前面グリル２６の本体フレーム２５への取付時において、第１ギア９１と第２ギア７８とが適正な噛み合い位置に到達するまで接触しないように、第１突起９４と第２突起８２とが当接する。このため、室内機１の据付時やメンテナンス時に前面グリル２６が本体フレーム２５から一旦取り外されても、前面グリル２６の本体フレーム２５への取付時に第１ギア９１又は第２ギア７８の回転ズレを少なくすることができる。これにより、前面グリル２６の本体フレーム２５からの取り外しが行われた場合も、制御部８による正面パネル６の位置制御の低下を防止することができる。
【００５４】
（２）
この空気調和機の室内機１では、少なくとも前面グリル２６と本体フレーム２５とが分離された状態では、駆動部９が本体フレーム２５側に設けられ、開閉機構７が前面グリル２６側に設けられている。駆動部９は本体フレーム２５に設けられる制御部品と接続される必要があるため本体フレーム２５側に設けられることが望ましいが、開閉機構７が駆動部９に合わせて本体フレーム２５側に設けられると、開閉機構７と正面パネルとの距離が大きくなるため正面パネル６を前面グリル２６に対して移動させる精度が低下してしまう。しかし、この空気調和機の室内機１では、開閉機構７が前面グリル２６側に設けられるため、正面パネルを前面グリル２６に対して精度よく移動させることができる。
【００５５】
（３）
この空気調和機の室内機１では、パネル駆動モーター７３から正面パネル６に駆動力を伝達するための複数のギア７８，７９，９１からなる駆動力伝達機構が、前面グリル２６側の開閉機構７と、本体フレーム２５側の駆動部９とに分かれて設けられる。このため、駆動部９と開閉機構７とをそれぞれコンパクトに形成することができる。
【００５６】
＜他の実施形態＞
（１）
上記の実施形態のような突起ではなく、第１ギア９１カバーと第２ギア７８カバーとが当接することによって、第２ギア７８が案内されてもよい。
（２）
上記の実施形態では、本体フレーム２５側と前面グリル２６側との両方に突起が設けられているが、いずれか一方にのみ設けられてもよい。この場合、本体フレーム２５側と前面グリル２６側とのいずれか一方に設けられた突起が、他方に設けられた平面、曲面或いは溝などと接触するように構成されてもよい。
【００５７】
（３）
上記の実施形態では、第１突起９４と第２突起８２との当接によって第１ギア９１と接近する方向への第２ギア７８の移動が規制されているが、第１ギア９１と離反する方向には第２ギア７８の移動は規制されておらず第２ギア７８は自由に移動することができる。しかし、第２ギア７８が所定の軌跡を描いて移動するように案内されてもよい。
【００５８】
（４）
開閉機構７や駆動部９は、本体フレーム２５や前面グリル２６に直接的に固定されているのではなく、他の部材を介して間接的に固定されていてもよい。
（６）
上記実施形態では、第２ギア７８の回転軸が第１ギア９１の回転軸の真上に位置する状態が適正な噛み合い位置であるが、適正な噛み合い位置は、上記位置に限られるものではない。例えば、第２ギア７８の回転軸と第１ギア９１の回転軸とを結ぶ直線が鉛直方向から所定角度傾いた状態を適正な噛み合い位置として、第２ギア７８がこの位置に到達するまで第１ギア９１と接触しないように案内されるように第１突起９４と第２突起８２とが設けられてもよい。
【産業上の利用可能性】
【００５９】
本発明は、パネル部材の移動の精度の低下を抑えることができ、空気調和機の室内機として有用である。
【図面の簡単な説明】
【００６０】
【図１】空気調和機の室内機の正面図。
【図２】空気調和機の室内機の右側面図。
【図３】図１におけるIII−III断面図。
【図４】開閉機構および正面パネルを示す図。
【図５】図１におけるV−V断面図。
【図６】開閉機構および駆動部の斜視図。
【図７】駆動部を示す図。
【図８】空気調和機の室内機の制御ブロック図。
【図９】前面グリル取付時の第１突起と第２突起との作用を示す図。
【図１０】正面パネルの開閉動作を示す図。
【符号の説明】
【００６１】
１          空気調和機の室内機
６          正面パネル（パネル部材）
８          制御部
２１        第１吸込み口（開口）
２５        本体フレーム（第１ケーシング）
２６        前面グリル（第２ケーシング）
７２        開閉機構ケーシング（第２ギアカバー）
７３        パネル駆動モーター（動力源）
７８        第２ギア
８２        第２突起（第２当接部、ガイド部）
９１        第１ギア
９２        駆動部ケーシング（第１ギアカバー）
９４        第１突起（第１当接部、ガイド部）
９６        第１歯
９７        第２歯
９８        第３歯
【図１】
2006194502.tif 000003
【図２】
2006194502.tif 000004
【図３】
2006194502.tif 000005
【図４】
2006194502.tif 000006
【図５】
2006194502.tif 000007
【図６】
2006194502.tif 000008
【図７】
2006194502.tif 000009
【図８】
2006194502.tif 000010
【図９】
2006194502.tif 000011
【図１０】
2006194502.tif 000012